(57)【要約】【課題】新たな動力源を追加することなく、簡単な構成で、曜表示手段の曜表示を早送りで切り替えることができるアナログ電子時計を提供する。【解決手段】時刻を計時する計時部２と、そこからの信号によって各種制御信号を生成し出力する制御部３と、出力された駆動信号に応じて駆動力を発生する時・曜系動力源５と、その駆動力を伝達する時輪列５１と、それによって作動する時針５１ａと、時輪列５１から曜板駆動用輪列機構５２に分岐した駆動力によって作動する曜を表示する曜板５２ａとを備えたアナログ電子時計１である。  そして、曜板５２ａには一つの曜に対して複数種類の表示が記されており、制御部３は、早送り制御時に通常送り制御時よりも高い周波数の駆動信号によって曜板５２ａの表示を切り替える。【選択図】図１
2008070234.tif 000002
【特許請求の範囲】
【請求項１】
時刻を計時する計時手段と、該計時手段からの信号によって各種制御信号を生成し出力する制御部と、該制御部から出力された駆動信号に応じて駆動力を発生する動力源と、該動力源の駆動力を伝達する指針駆動機構と、該指針駆動機構から伝達される駆動力によって作動する指針と、曜を表示する曜表示手段と、前記指針駆動機構から分岐して前記動力源から発生した駆動力を前記曜表示手段に伝達する曜表示駆動機構とを備えたアナログ電子時計において、
前記曜表示手段には一つの曜に対して複数種類の表示が記されており、前記制御部は、早送り制御時に通常送り制御のときよりも高い周波数の駆動信号を出力して前記曜表示手段の曜の表示を切り替えることを特徴とするアナログ電子時計。
【請求項２】
前記曜表示駆動機構は、前記曜表示手段と連結される曜表示駆動手段と、前記指針駆動機構の連続的な駆動力を間欠的な駆動力に変換して該曜表示駆動手段に伝達する間欠駆動手段とを有することを特徴とする請求項１に記載のアナログ電子時計。
【請求項３】
前記曜表示駆動機構はゼネバ機構であって、前記曜表示駆動手段は前記曜表示手段上の表示に１対自然数ｎ対応している歯を有する曜星車であり、前記間欠駆動手段は該曜星車の歯を送る爪を有する曜回し車であることを特徴とする請求項２に記載のアナログ電子時計。
【請求項４】
前記曜表示手段には、種類ごとに分かれて曜が連続して表示されていることを特徴とする請求項１乃至３のいずれか一項に記載のアナログ電子時計。
【請求項５】
前記動力源は、時針を駆動する時系であることを特徴とする請求項１乃至４のいずれか一項に記載のアナログ電子時計。
【請求項６】
一つの曜に対して複数種類の表示が記される曜板であって、種類ごとに分かれて曜が連続して表示されていることを特徴とする曜板。
【請求項７】
請求項６に記載の曜板を備えたことを特徴とする時計。
【発明の詳細な説明】
【技術分野】
【０００１】
本発明は、カレンダー表示板などの曜を表示する曜表示手段を備えたアナログ電子時計、曜板及び時計に関するものである。
【背景技術】
【０００２】
従来、アナログ電子時計として、本来の目的である時刻を表示する指針の他に、日や曜を表示するものが知られている。そして、日を表示する日表示手段としては、文字板に記載された数字を指針によって指示する方式や、ひと月分の日が記載された日板を回転させて、文字板の表示窓から、日板に記載された一つの日を露出させる方式などがある。
【０００３】
ここで、各月に属する日数は月に応じて異なるため、表示すべき日としては不必要な非存日（例えば、２月３０日、４月３１日など）が存在する。このため、通常の日表示機能付のアナログ電子時計では、月初めに手動で表示日を修正することが必要である。
【０００４】
しかし、この修正作業は、使用者にとっては煩わしい作業であり、また、毎月必ず行うという作業とは限らないため、修正を忘れる場合もある。
【０００５】
そこで、アナログ電子時計が有する、指針の運針動作を制御する制御部により、この修正作業を自動的に実行させる技術が提案されている（特許文献１）。この技術は、制御部が、現在の月を自動的に判定し、修正作業が必要な月と判定されたときは、日表示手段専用のモータを高速駆動して日表示手段を早送り制御し、非存日を表示しないようにしたものである。
【０００６】
これに対して、現実には非存の状態が存在しない曜（日、月、火、…、土）については、早送り制御することは考えられていない。
【０００７】
しかし、曜を表示する曜表示手段についても、以下の理由により、早送りすることが求められてきている。すなわち、
（１）日と曜との両表示手段を有し、上述した非存日排除機能を有するアナログ電子時計では、その見栄えの観点から、曜表示手段も日表示手段と同様の速度で切り替えることが要求されるようになっている。
（２）曜については、複数言語（例えば、英語と日本語）を切替え可能とすることが求められており、例えば英語の曜表示と日本語の曜表示とが交互に配置されている曜表示手段を用いて、通常は英語の表示だけ、または日本語の表示だけで使用したい場合には、実質的に一日分の曜を送るために、表示としては二日分（例えば、「ＳＵＮ」→「日」→「ＭＯＮ」、または「日」→「ＭＯＮ」→「月」）を一気に送らなければならず、この二日分を送るために要する時間を短縮したい、という要望がある。
【０００８】
このような要求に応える最も単純な技術は、曜表示手段専用のモータ（動力源）を設けて、日表示手段専用のモータと同様に高速駆動し、曜表示手段を早送り制御するものである。
【０００９】
しかし、この技術では、備えるべきモータの数が増加するため、これらを収容した時計は大型化し、また、製造コストの増大も招く。
【００１０】
また、日表示手段専用のモータを曜表示手段用のモータとしても用い、このモータが正転したとき日表示手段を送り、反転したとき曜表示手段を送るようにした技術も提案されている（特許文献２）。
【特許文献１】特開昭６２−１４７３９２号公報
【特許文献２】特公昭６０−１３１５３号公報
【発明の開示】
【発明が解決しようとする課題】
【００１１】
しかし、特許文献２に開示された技術は、機構が複雑であるため、実際のアナログ電子時計に適用するには設計が難しく、却ってサイズの大型化や製造コストの上昇を招く虞がある。
【００１２】
そこで、本発明は、新たな動力源を追加することなく、簡単な構成で、曜表示手段の曜表示を早送りで切り替えることができるアナログ電子時計を提供することを目的としている。
【課題を解決するための手段】
【００１３】
前記目的を達成するために、本発明のアナログ電子時計は、時刻を計時する計時手段と、該計時手段からの信号によって各種制御信号を生成し出力する制御部と、該制御部から出力された駆動信号に応じて駆動力を発生する動力源と、該動力源の駆動力を伝達する指針駆動機構と、該指針駆動機構から伝達される駆動力によって作動する指針と、曜を表示する曜表示手段と、前記指針駆動機構から分岐して前記動力源から発生した駆動力を前記曜表示手段に伝達する曜表示駆動機構とを備えたアナログ電子時計において、前記曜表示手段には一つの曜に対して複数種類の表示が記されており、前記制御部は、早送り制御時に通常送り制御のときよりも高い周波数の駆動信号を出力して前記曜表示手段の曜の表示を切り替えることを特徴とする。
【００１４】
ここで、前記曜表示駆動機構は、前記曜表示手段と連結される曜表示駆動手段と、前記指針駆動機構の連続的な駆動力を間欠的な駆動力に変換して該曜表示駆動手段に伝達する間欠駆動手段とを有するように構成することができる。
【００１５】
また、前記曜表示駆動機構はゼネバ機構であって、前記曜表示駆動手段は前記曜表示手段上の表示に１対自然数ｎ対応している歯を有する曜星車であり、前記間欠駆動手段は該曜星車の歯を送る爪を有する曜回し車とすることができる。
【００１６】
さらに、前記曜表示手段には、種類ごとに分かれて曜が連続して表示されているものであってもよい。
【００１７】
そして、前記動力源には、時針を駆動する時系を利用することができる。
【００１８】
また、本発明の曜板は、一つの曜に対して複数種類の表示が記される曜板であって、種類ごとに分かれて曜が連続して表示されていることを特徴とする。
【００１９】
そして、本発明の時計は、上記曜板を備えたことを特徴とする。
【発明の効果】
【００２０】
このように構成された本発明のアナログ電子時計は、一つの曜に対して複数種類の表示がされた曜表示手段が指針駆動機構から分岐された駆動力によって作動するとともに、早送り制御時には通常送り制御のときよりも高い周波数の駆動信号で曜の表示を切り替える。
【００２１】
このため、曜の切り替えを早くするために専用の動力源を設ける必要がないうえに、早送り制御によって設定外の表示を素早く早送りさせることができる。
【００２２】
また、曜表示駆動機構を、曜表示手段と連結される曜表示駆動手段と、指針駆動機構の連続的な駆動力を間欠的な駆動力に変換する間欠駆動手段とによって構成することで、指針の動力源の駆動力を曜の切り替えに有効に利用することができる。
【００２３】
さらに、曜表示駆動機構をゼネバ機構で構成し、間欠的に回転する曜星車の歯の数を曜表示手段の一表示に対して自然数ｎ倍にすることで、駆動力のトルクや歯車比に応じた表示の制御を容易におこなうことができる。
【００２４】
そして、時系の動力源を利用して曜表示手段を作動させることで、秒系の動力源によって作動させる場合に比べて、曜表示手段の早送り時間を短縮することができる。
【００２５】
また、曜の表示の種類ごとに分かれて連続して曜表示手段に表示することで、早送り制御を１週間に一度に集中させることができる。
【発明を実施するための最良の形態】
【００２６】
以下、本発明の最良の実施の形態について図面を参照して説明する。
【００２７】
図２は、本発明に係るアナログ電子時計１の実施形態を示す外観図、図１（ａ）は、図２に示したアナログ電子時計１の基本的な構成を示すブロック図、図１（ｂ）は、図１（ａ）における計時部２（計時手段）の詳細構成を示すブロック図である。
【００２８】
図示のアナログ電子時計１は、図２に示すように、文字板７４に形成された表示窓７１から、日板６１ａ（日表示手段）に記載された日と曜板５２ａ（曜表示手段）に記載された曜とを露出させることにより日および曜を表示し、文字板７４に記載された数字や目盛りを時針５１ａ（指針）、分針４１ｂ、秒針４１ａによって指示することにより時刻を表示している。
【００２９】
ムーブメント７２には、図１（ａ）に示すように、時刻を計時する計時部２と、制御部３から入力された駆動信号（制御信号）に応じて駆動力を発生する時・曜系モータドライバ５ａおよび時・曜系モータ５ｂからなる時・曜系動力源５（動力源）と、秒分系モータドライバ４ａおよび秒分系モータ４ｂからなる秒分系動力源４と、日板モータドライバ６ａおよび日板モータ６ｂからなる日板動力源６と、時・曜系モータ５ｂから発生した駆動力を時針５１ａに伝達する時輪列５１（指針駆動機構）と、時輪列５１から分岐して、時・曜系モータ５ｂから発生した駆動力を曜板５２ａに伝達する曜板駆動用輪列機構５２（曜表示駆動機構）と、秒分系モータ４ｂから発生した駆動力を分針４１ｂおよび秒針４１ａに伝達する秒分系輪列４１と、計時部２の計時内容を表示するための制御信号を出力する制御部３とを備えている。
【００３０】
ここで、計時部２は、図１（ｂ）に示すように、例えば水晶発振器など時刻の基準となる信号を発生する発振回路２１と、発振回路２１で発振された信号を分周する分周回路２２と、分周回路２２により得られた分周信号に基づいて、内部において保持する、秒および分を計数する秒分カウンタ２３と、秒分カウンタ２３の計数値に基づいて時を計数する時カウンタ２４と、時カウンタ２４の計数値に基づいて日を計数する日カウンタ２５と、日カウンタ２５の計数値に基づいて月を計数する月カウンタ２６と、月カウンタ２６の計数値に基づいて年を計数する年カウンタ２７と、時カウンタ２４の計数値に基づいて曜を計数する曜カウンタ２８とを備えた構成である。
【００３１】
なお、曜カウンタ２８は、時カウンタ２４の計数値に基づいて曜を計数する他に、日カウンタ２５により計数された日、月カウンタ２６により計数された月、および年カウンタ２７により計数された年により特定される年月日情報に基づいて、計算により曜を算出するものであってもよい。
【００３２】
発振回路２１および分周回路２２は専用回路であるが、他のカウンタ２３〜２８は、既存のマイクロコンピュータのＲＡＭなどで構成するものであってもよい。
【００３３】
制御部３は、主として、各モータドライバ４ａ，５ａ，６ａを制御するモータ駆動制御と、計時部２を制御する計時部制御とを行う。
【００３４】
モータ駆動制御は、時・曜系動力源５に対しては、曜板駆動用輪列機構５２による曜板５２ａの曜の表示を切り替える期間に行われる早送り制御（例えば、６４Ｈｚ運針）と、時針５１ａによって時刻を表示する通常送り期間に行われる通常送り制御（例えば、１分運針）とを切り替えて行い、他のモータドライバ４ａ，６ａに対しては、通常送り制御を行うものである。
【００３５】
ここで、早送り制御は、通常送り制御よりも高い周波数の駆動信号（制御信号）を出力することによって行われ、制御部３が、通常送り期間に出力する制御信号は１分間に１ステップの信号（１分運針）であり、曜の表示を切り替える期間に出力する高周波数の駆動信号は１秒間に６４ステップの信号（６４Ｈｚ運針）である。
【００３６】
ここで、通常送り期間とは、一般的な使用者が時計１を使用する時間帯（時針５１ａ等によって表示された時刻を使用者が確認するなど時計を使用する時間帯）、すなわち例えば、一日のうちで深夜から未明の時間帯を除いたその他の時間帯を意味する。
【００３７】
早送り制御と通常送り制御との切替えは、具体的には例えば、計時部２から入力された計時データのうち秒分カウンタ２３により計数された秒および分のデータ、並びに時カウンタ２４により計数された時のデータからなる時刻データに基づいて、所定の時間帯であるか否かを判定することにより行われるが、制御部３自らが内部に時刻のカウンタ（秒分カウンタ２３および時カウンタ２４に相当するもの）を有し、この内部の時刻のカウンタで得られた時刻に基づいて切り替えるものであってもよい。
【００３８】
一方、計時部制御は、計時部２に関する一般的な制御や、非存日排除や曜の自動算出などの制御である。なお、この計時部制御は、本実施形態のように、制御部３が行うものに限定されるものではなく、計時部２自らが、その内部で行うものであってもよい。
【００３９】
なお、図１（ａ）において破線で囲んだ計時部２、制御部３、およびモータドライバ４ａ，５ａ，６ａは、マイクロコンピュータおよびこのマイクロコンピュータを動作させるプログラムによって実現するものであってもよいし、通常のハードウェアとして実現してもよい。
【００４０】
図３は、図１に示した基本的な構成の、ムーブメント７２における物理的な配置の具体例であり、特に、時・曜系モータ５ｂから時輪列５１、曜板駆動用輪列機構５２、曜板５２ａに連なる構成の詳細を示す。
【００４１】
時輪列５１は、時・曜系モータ５ｂに直接連なる歯車５１１から、時針５１ａが固定される筒車５３までの、５つの歯車５１１，５１２，５１３，５１４，５３が順次噛合した歯車列で構成されている。
【００４２】
図１（ａ）に示した曜板駆動用輪列機構５２は、図３において、時輪列５１のうち歯車５１４に連なる曜中間車５２１、曜回し車５２２および曜星車５２３が順次連なって構成される。
【００４３】
そして、図１（ａ）に示した曜板駆動用輪列機構５２は、時輪列５１から分岐して、時・曜系モータ５ｂから発生した駆動力を曜星車５２３に伝達させ、その曜星車５２３に連結された曜板５２ａを回転させる。
【００４４】
なお、筒車５３と曜星車５２３とは同一の回転中心Ｃ回りに回転するが、これら筒車５３と曜星車５２３とは互いに独立して回転する。
【００４５】
また、制御部３から通常送り期間に出力される周波数の駆動信号によれば、筒車５３は１２時間で１回転し、曜回し車５２２は２４時間で１回転するように設定されている。
【００４６】
間欠駆動手段としての曜回し車５２２は、図３に示すように、時輪列５１の連続的駆動力を受け、この連続的駆動力を間欠的駆動力に変換して、曜星車５２３に伝達する爪５２２ａが形成されている。
【００４７】
すなわち、曜回し車５２２は連続的駆動力を受けて連続的に回転するが、曜回し車５２２は曜星車５２３を連続的に回転させるのではなく、図４に示すように、曜回し車５２２の爪５２２ａが曜星車５２３の歯５２３ａに当たったときだけ曜星車５２３を回転させる。これによって、曜回し車５２２の爪５２２ａは、曜星車５２３の歯５２３ａを間欠的に送るゼネバ機構を構成している。
【００４８】
また、曜星車５２３は、曜ジャンパ５２４によって与勢されており、衝撃などで誤って回転してしまうことを防ぐことができる。
【００４９】
すなわち、図４に示すように、曜回し車５２２には爪５２２ａの周囲の切欠き部５２２ｂと、切欠き部５２２ｂの円弧よりも直径の大きな大径部５２２ｃとがあり、曜ジャンパ５２４で押え付けられた曜星車５２３の歯５２３ａが大径部５５２ｃに圧接されるので、衝撃が加わったとしてもその力で誤って曜星車５２３が回転してしまうことがない。
【００５０】
また、曜板５２ａは、図５に示すように、中央に穴の開いた円板状に形成されており、表面には２種類の言語（英語と日本語）の曜表示群ＥＣ，ＪＣが表され、上述した通常送り期間は、これら２種類の曜表示群ＥＣ，ＪＣのうち特定の一種類の曜表示群ＥＣまたはＪＣに属する曜（例えばＥＣなら｛ＳＵＮ、ＭＯＮ、ＴＵＥ、…、ＳＡＴ｝、ＪＣなら｛日、月、火、…、土｝）が時計１の表示窓７１から曜表示として露出するように、制御部３が制御している。
【００５１】
ここで、曜表示群ＪＣとは、日という曜表示、月という曜表示、火という曜表示、水という曜表示、木という曜表示、金という曜表示、および土という曜表示からなる七曜の集まりを意味し、曜表示群にそれぞれ属する曜の表示は、これら日という曜表示、月という曜表示、火という曜表示、水という曜表示、木という曜表示、金という曜表示、土という曜表示のそれぞれを意味する。曜表示群ＥＣについても、同様である。
【実施例１】
【００５２】
以下、前記した実施の形態の実施例１について説明する。なお、前記実施の形態で説明した内容と同一乃至均等な部分の説明については同一符号を付して説明する。
【００５３】
この実施例１では、図５に示した曜板５２ａを使用する。この曜板５２ａは、その回転中心Ｃを中心とする周方向について、２種類の曜表示群ＥＣ，ＪＣにそれぞれ属する曜の表示ごとに２種類の言語が隣り合うように表されている。
【００５４】
つまり、図示の反時計回りに、「ＳＵＮ」、「日」、「ＭＯＮ」、「月」、「ＴＵＥ」、「火」、「ＷＥＤ」、「水」、「ＴＨＵ」、「木」、「ＦＲＩ」、「金」、「ＳＡＴ」、「土」という並びで曜表示が記載されて、曜表示の種類が交互に配置されている。
【００５５】
そして、このアナログ電子時計１は、時針５１ａが正常に送られている通常送り期間には、常に英語の曜表示のみ、または日本語の曜表示のみがなされるため、通常送り期間における制御信号よりも高周波数の制御信号が制御部３から出力されると、英語表示のときは、例えば、「ＳＵＮ」→「日」→「ＭＯＮ」というように曜表示の送り（切替え）が行われ、日本語表示のときは、例えば、「日」→「ＭＯＮ」→「月」というように曜表示の送りが行われる。
【００５６】
曜星車５２３は、図４，５に示すように、曜板５２ａの曜表示の数と同じ１４枚の歯５２３ａを有する歯車であり、曜板５２ａの回転中心Ｃと同軸に、かつ回転中心Ｃと各曜表示とを結ぶ線上の歯車の歯底が対応するように固定されている。
【００５７】
なお、歯車の歯５２３ａの数は、曜板５２ａの曜表示の数と同じであるものに限らず、曜板５２ａの曜表示の数の自然数ｎ倍であればよい。
【００５８】
ここで、曜板５２ａの曜表示を切り替える（送る）基本的な作用について、図６〜図８を参照して説明する。
【００５９】
この実施例１では、図５に示した曜板５２ａを配置したアナログ電子時計１の曜表示の設定を英語の表示にし、英語の表示の間の日本語の表示は早送りすることにする。
【００６０】
ここで、図６は日曜日の２４時（月曜日の０時）頃のアナログ電子時計１の内部状態と曜の表示状態を示した図である。
【００６１】
この時点では、図６（ｂ）に示すように、表示窓７１には「ＳＵＮ」が表示されている。すなわち、曜板５２ａに記された文字は、表示窓７１から一文字だけ露出される。なお、図６（ｂ）の表示窓７１の上方に示された円弧状のものはムーブメント７２の外縁であり、ネジは巻真７３である。
【００６２】
また、図６（ａ）の曜回し車５２２は、通常送り制御のときには反時計回りに２４時間かけて一周するように設定されており、曜回し車５２２の爪５２２ａが曜星車５２３の歯５２３ａに当接すると曜星車５２３が時計回り方向に押し出される。そして、爪５２２ａから歯５２３ａが離れると、曜ジャンパ５２４の付勢によって所定の位置まで曜星車５２３が回転することになる。
【００６３】
このような通常送り制御で、約２時間（例えば103分＝24×60/14）経った月曜日の午前２時頃の状態を示したのが図７である。この約２時間の間に図７（ａ）に示すように曜回し車５２２は約３０度（正確には26度＝360/14）回転し、曜星車５２３の歯５２３ａを一つ送ったことになる。
【００６４】
すると、曜星車５２３に連結された曜板５２ａの表示も、図７（ｂ）に示すように「ＳＵＮ」から「日」へ一つ送られることになる。この「日」の表示は、設定外の日本語の表示であるため早送り制御する。
【００６５】
すなわち、計時部２の秒分カウンタ２３や時カウンタ２４からの計時データによって制御部３で午前０時から103分経過したことを検知すると、制御部３は早送り制御をおこなうための駆動信号を出力する。この早送り制御のための駆動信号は、通常送り制御のときに制御部３から時・曜系モータドライバ５ａに出力される駆動信号よりも高い周波数の駆動信号になる。
【００６６】
例えば、通常送り制御のときには制御部３から１分毎に１ステップの駆動信号（１分運針）が送出されるのに対し、早送り制御のときには制御部３から１秒間に６４ステップの駆動信号（６４Ｈｚ運針）が22.5秒間送出される。
【００６７】
すなわち、高周波数の駆動信号は、１秒間に６４ステップの信号（６４Ｈｚ運針）であるから、通常送り期間に出力される１分間に１ステップの信号（１分運針）に対して、単純には、３８４０（＝６４×６０）倍の速度となる。なお、１秒間に６４ステップの駆動信号は、計時部２によって作られた基準となる信号を利用して、制御部３が生成したものである。
【００６８】
このように早送り制御の駆動信号が時・曜系モータドライバ５ａに入力されると、時・曜系モータ５ｂが高速で回転して22.5秒で曜回し車５２２が図７（ａ）の状態から反時計回りに一周して図８（ａ）の状態になる。
【００６９】
そして、このように曜回し車５２２が一周することによって、曜星車５２３の歯５２３ａが一つ送られて、表示窓７１の表示が「日」から「ＭＯＮ」に変わる（図８（ｂ）参照）。
【００７０】
このように曜板５２ａに二種類の曜表示が交互に記されている場合は、曜を切り替える際に表示を２つ送らなければならなくなるが、本実施の形態のように早送り制御することで表示の切り替えにかかる時間を大幅に短縮することができる。
【００７１】
なお、言語切り替えによって日本語の表示が選択された場合は、英語の表示が早送りされることになる。
【００７２】
次に、本実施の形態のアナログ電子時計１の作用について説明する。
【００７３】
このように構成された本発明のアナログ電子時計１は、一つの曜に対して日本語と英語の二種類の表示がされた曜板５２ａが時輪列５１から伝達される駆動力によって作動するとともに、早送り制御時には通常送り制御のときよりも高い周波数で曜板５２ａの表示を切り替える。
【００７４】
このため、曜の切り替えを早くするために専用の動力源を設ける必要がないうえに、早送り制御によって設定外の表示を素早く早送りさせることができる。
【００７５】
すなわち、通常送り制御で曜の切り替えと設定外の表示を二つ送ろうとすれば、通常送り制御で表示を一つ送るのに約２時間かかるので切り替えが終わるまでに合計約４時間かかることになるが、設定外の表示を約23秒で早送りするようにすれば、切り替えが終わるまでの時間は約２時間となって通常の曜の切り替えとほとんど変わらない時間で切り替えをおこなうことができる。
【００７６】
また、通常送り制御と早送り制御との切り替えは、制御部３から出力される駆動信号の周波数を変化させるという簡単な構成で実現することができる。
【００７７】
また、曜板駆動用輪列機構５２を、曜板５２ａと連結される曜星車５２３と、時輪列５１の連続的な駆動力を間欠的な駆動力に変換する曜回し車５２２とによって構成することで、時・曜系動力源５の駆動力を曜の切り替えに有効に利用することができる。
【００７８】
さらに、曜板駆動用輪列機構５２をゼネバ機構で構成し、間欠的に回転する曜星車５２３の歯５２３ａの数を曜板５２ａの一表示に対して自然数ｎ倍（本実施の形態及び実施例１ではｎ＝１）にすることで、駆動力のトルクや歯車比に応じた表示の制御を容易におこなうことができる。
【００７９】
そして、動力源として、時系の時・曜系動力源５を利用することで、秒分系動力源４やその他の分割形態のときの秒系を含んだ動力源によって作動させる場合に比べて、曜板５２ａの早送り時間を短縮させることができる。
【００８０】
また、このように秒分系動力源４と時・曜系動力源５とに分けた場合は、時差修正を容易におこなうことができる。
【実施例２】
【００８１】
この実施例２では、前記実施例１とは異なる形態の曜板８を配置したアナログ電子時計１について説明する。なお、前記実施の形態又は実施例１で説明した内容と同一乃至均等な部分の説明については同一符号を付して説明する。
【００８２】
この曜板８には、図９に示すように、前記実施例１の曜板５２ａと同様に日本語と英語の二種類の曜表示群ＥＣ，ＪＣの表示が記されているが、前記実施例１と相違して日本語のゾーンと英語のゾーンが半円ずつ分かれて、それぞれの曜表示群ＥＣ，ＪＣが集中して表されている。
【００８３】
つまり、英語の曜表示群ＥＣに属する曜表示｛ＳＵＮ、ＭＯＮ、ＴＵＥ、ＷＥＤ、ＴＨＵ、ＦＲＩ、ＳＡＴ｝の全てが、周方向の全周範囲（３６０度の角度範囲）のうち１８０度の角度範囲に配置され、日本語の曜表示群ＪＣに属する曜表示｛日、月、火、水、木、金、土｝の全てが、周方向の全周範囲（３６０度の角度範囲）のうち他の１８０度の角度範囲に配置されている。
【００８４】
次に、この曜板８を配置したアナログ電子時計１の曜の切り替えについて図１０を参照しながら説明する。
【００８５】
この実施例２においても、アナログ電子時計１の曜表示の設定を英語の表示にし、日本語の表示は早送りすることにする。
【００８６】
まず、「ＳＵＮ」「ＭＯＮ」「ＴＵＥ」「ＷＥＤ」「ＴＨＵ」「ＦＲＩ」「ＳＡＴ」の間は、曜回し車５２２が２４時間で一周し、曜星車５２３の歯５２３ａを一歯ずつ送り出して曜の表示を切り替える。
【００８７】
そして、土曜日の２４時（日曜日の０時）頃には、図１０（ａ）に示すように、表示窓７１には「SAT」が表示されている。また、曜回し車５２２は、２４時間かけて一周して図６（ａ）に示すような状態になっている。
【００８８】
そして、その約２時間後（例えば103分後）の日曜日の午前２時頃の状態を示したのが図１０（ｂ）である。この約２時間の間に曜回し車５２２は約３０度（正確には26度）回転し（図７（ａ）参照）、曜星車５２３の歯５２３ａを一つ送ったことになる。
【００８９】
すると、曜星車５２３に連結された曜板８の表示も、図１０（ｂ）に示すように「ＳＡＴ」から「日」へ一つ送られることになる。この「日」の表示は、設定外の日本語の表示であり、その後に「月」「火」「水」「木」「金」「土」の表示が続くため、日本語の一週間の表示を早送り制御によって早送りする。
【００９０】
すなわち、計時部２の秒分カウンタ２３や時カウンタ２４からの計時データによって制御部３で午前０時から103分経過したことを検知すると、制御部３は早送り制御をおこなうための駆動信号を出力する。この早送りのための駆動信号は、通常送り制御のときに制御部３から時・曜系モータドライバ５ａに出力される駆動信号よりも高い周波数の駆動信号になる。
【００９１】
例えば、通常送り制御のときには制御部３から１分運針で駆動信号が送出されるのに対し、早送り制御のときには制御部３から曜回し車５２２を７周させるための駆動信号が送出される。
【００９２】
すなわち、64Hz運針で駆動信号が22.5秒間送出すると曜回し車５２２が一周するため、22.5秒×7で157.5秒間64Hz運針をおこなう。
【００９３】
そして、このように曜回し車５２２が７周することによって、曜星車５２３の歯５２３ａが７つ送られて、表示窓７１の表示が「日」から「SUN」に変わる（図１０（ｃ）参照）。
【００９４】
このように曜板８に二種類の曜表示がゾーンに分かれて連続して記されている場合は、一週間に一度、早送り制御をおこなって早送りすればよいので、その他の日は曜が自然に切り替わって使用者に違和感を与えることがない。
【００９５】
また、設定外の表示のときは短時間で表示が切り替わるため、表示の切り替えにかかる時間を大幅に短縮することができる。
【００９６】
なお、他の構成及び作用効果については、前記実施の形態又は実施例１と略同様であるので説明を省略する。
【００９７】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。
【００９８】
例えば、前記実施の形態及び実施例では、動力源を、秒分系、時系、日板に分けて時系の動力源からの駆動力によって曜板５２ａ，８を作動させたが、これに限定されるものではなく、動力源を秒系と時分系に分けて時分系の動力源によって曜板５２ａ，８を駆動させてもよい。また、秒系の動力源や時刻系を一つにした秒分時系の動力源によって曜板５２ａ，８を駆動させることもできる。
【００９９】
また、前記実施の形態及び実施例では、曜の表示を日本語と英語の二種類でおこなったが、これに限定されるものではなく、他の言語の組み合わせでもよいし、一つの言語で文字の色やフォントなどの字体の種類を変えたりしてもよいし、それらの組み合わせであってもよい。さらに、一つの曜に対して三種類以上の表示がされた曜板を使用することもできる。
【０１００】
さらに、前記実施の形態及び実施例では早送り制御を64Ｈｚ運針でおこなったがこれに限定されるものではない。
【０１０１】
また、前記実施の形態では、曜表示駆動機構としてゼネバ機構を説明したが、これに限定されるものではなく、その他の間欠駆動機構であってもよい。
【０１０２】
さらに、前記実施の形態及び実施例ではアナログ電子時計１に適用した場合について説明したが、このアナログ電子時計１は電波時計であってもよい。すなわち、より正確な表示が求められる電波時計に本発明を適用すれば、顕著な効果を得ることができる。
【図面の簡単な説明】
【０１０３】
【図１】本発明の最良の実施の形態のアナログ電子時計の構成を説明するブロック図である。
【図２】本発明の最良の実施の形態のアナログ電子時計の外観を説明する平面図である。
【図３】本発明の最良の実施の形態のアナログ電子時計の内部構造を説明する平面図である。
【図４】アナログ電子時計の内部構造を説明する拡大平面図である。
【図５】実施例１の曜板の平面図である。
【図６】実施例１の曜の切り替えを説明する切り替え開始直前の図であって、（ａ）はアナログ電子時計の内部構造を説明する拡大平面図、（ｂ）は表示窓周辺のアナログ電子時計の拡大平面図である。
【図７】実施例１の曜の切り替えを説明する早送り開始直前の図であって、（ａ）はアナログ電子時計の内部構造を説明する拡大平面図、（ｂ）は表示窓周辺のアナログ電子時計の拡大平面図である。
【図８】実施例１の曜の切り替えを説明する早送り直後の図であって、（ａ）はアナログ電子時計の内部構造を説明する拡大平面図、（ｂ）は表示窓周辺のアナログ電子時計の拡大平面図である。
【図９】実施例２の曜板の平面図である。
【図１０】実施例２のアナログ電子時計の曜の切り替えを説明する図であって、（ａ）は切り替え開始直前の表示窓周辺の拡大平面図、（ｂ）は早送り開始直前の表示窓周辺の拡大平面図、（ｃ）は早送り直後の表示窓周辺の拡大平面図である。
【符号の説明】
【０１０４】
１            アナログ電子時計
２            計時部（計時手段）
３            制御部
５            時・曜系動力源（動力源）
５１          時輪列（指針駆動機構）
５１ａ        時針（指針）
５２          曜板駆動用輪列機構（曜表示駆動機構）
５２ａ        曜板（曜表示手段）
５２２        曜回し車（間欠駆動手段）
５２２ａ      爪
５２３        曜星車（曜表示駆動手段）
５２３ａ      歯
８            曜板（曜表示手段）
【図１】
2008070234.tif 000003
【図２】
2008070234.tif 000004
【図３】
2008070234.tif 000005
【図４】
2008070234.tif 000006
【図５】
2008070234.tif 000007
【図６】
2008070234.tif 000008
【図７】
2008070234.tif 000009
【図８】
2008070234.tif 000010
【図９】
2008070234.tif 000011
【図１０】
2008070234.tif 000012